Podtech/llm-jp-corpus-v4-ja_patent huggingface dataset:
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
プリンテッドメモリと通信するためのグリッドコネクタであって、
基板と、
前記基板に結合された複数の第１の導電パッドであって、前記第１の導電パッドの各々は、前記基板の外面に対して外側に突出しており、前記第１の導電パッドのサブセットは、第２の導電パッドが前記第１の導電パッドの境界内にある限り、前記プリンテッドメモリに対して、前記グリッドコネクタが前記プリンテッドメモリに対して１対１の配列にあるまたは前記プリンテッドメモリの向きに関係なく任意の他の角度にある場合に前記グリッドコネクタと前記プリンテッドメモリとの間でデータが送信されるのを許可するように、前記プリンテッドメモリの前記第２の導電パッドと直接的に接触するように構成される、第１の導電パッドと
を含む、グリッドコネクタ。
【請求項２】
前記グリッドコネクタは、前記第１の導電パッドの前記サブセットが前記第２の導電パッドと接触している場合、前記プリンテッドメモリに前記データを送信するように構成され、前記グリッドコネクタは、前記第１の導電パッドの前記サブセットが前記第２の導電パッドと接触している場合、前記プリンテッドメモリから前記データを受信するように構成される、請求項１に記載のグリッドコネクタ。
【請求項３】
前記サブセットは２つ以上の前記第１の導電パッドを含む、請求項２に記載のグリッドコネクタ。
【請求項４】
前記サブセット内の前記第１の導電パッドが、前記プリンテッドメモリの前記第２の導電パッドと接触している場合、前記サブセット内の前記第１の導電パッドは互いに電気的に導通している、請求項３に記載のグリッドコネクタ。
【請求項５】
プリンテッドメモリと通信するためのシステムであって、
プリンテッドメモリであって、
第１の基板と、
前記第１の基板に結合された複数の第１の導電パッドであって、各々が前記第１の基板の外面に対して凹んでいる複数の第１の導電パッドと、を含むプリンテッドメモリと、
グリッドコネクタであって、
第２の基板と、
前記第２の基板に結合された複数の第２の導電パッドであって、前記第２の導電パッドの各々は前記第２の基板の外面に対して外側に突出しており、前記第２の導電パッドの別々のサブセットは、前記第１の導電パッドが前記第２の導電パッドの境界内にある限り、前記プリンテッドメモリに対して、前記グリッドコネクタが前記プリンテッドメモリに対して１対１の配列にあるまたは前記プリンテッドメモリの向きに関係なく任意の他の角度にある場合に前記グリッドコネクタと前記プリンテッドメモリとの間でデータが送信されるのを許可するように、前記第１の導電パッドの各々と直接的に接触するように構成されており、各サブセットは２つ以上の前記第２の導電パッドを含む、複数の第２の導電パッドと、
を含むグリッドコネクタと、
前記グリッドコネクタと通信しているコンピューティングシステムであって、前記第２の導電パッドの前記別々のサブセットが前記第１の導電パッドの各々と直接的に接触している場合、前記グリッドコネクタを介して前記プリンテッドメモリと通信するように構成されるコンピューティングシステムと、
を含むシステム。
【請求項６】
前記コンピューティングシステムは、前記サブセット内の前記第２の導電パッドが互いに電気的に導通していると判断することによって、前記第１の導電パッドと接触している前記第２の導電パッドの前記サブセットを識別するように構成される、請求項５に記載のシステム。
【請求項７】
前記コンピューティングシステムは、前記第１の導電パッドの各々の境界の所定の距離内にある前記サブセット内の前記第２の導電パッドを識別するように構成される、請求項６に記載のシステム。
【請求項８】
前記コンピューティングシステムは、前記第１の導電パッドの各々の前記境界の前記所定の距離内にある前記サブセット内の前記第２の導電パッドを除く前記サブセット内の前記第２の導電パッドを通じて、前記グリッドコネクタを介して、前記プリンテッドメモリと通信するように構成される、請求項７に記載のシステム。
【請求項９】
プリンテッドメモリと通信するための方法であって、
グリッドコネクタを前記プリンテッドメモリと直接的に接触させて配置することであって、前記プリンテッドメモリは第１の導電パッドを含み、前記グリッドコネクタは複数の第２の導電パッドを含み、前記グリッドコネクタを前記プリンテッドメモリと直接的に接触させて配置することは、前記第１の導電パッドが前記第２の導電パッドの境界内にある限り、前記プリンテッドメモリに対して、前記グリッドコネクタが前記プリンテッドメモリに対して１対１の配列にあるまたは前記プリンテッドメモリの向きに関係なく任意の角度にある場合に、前記グリッドコネクタの前記第２の導電パッドのサブセットを前記プリンテッドメモリの前記第１の導電パッドと直接的に接触させて配置することを含む、配置することと、
前記プリンテッドメモリの前記第１の導電パッドと前記グリッドコネクタの前記第２の導電パッドの前記サブセットとの間でデータを送信することと、
を含む、方法。
【請求項１０】
前記サブセットは、２つ以上の前記第２の導電パッドを含む、請求項９に記載の方法。
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
一連の画像フレームを運ぶフィルム基板と、前記画像フレームとの所定の位置関係において一連の画像フレームに隣接する位置でフィルムに沿って離間する複数の搬送用ミシン目と、を含むフィルムをスキャンする方法であって、該方法は：
スキャンされる一以上の画像フレームの少なくとも一部を含むフィルムの一部分を照明し；
フィルムを通過する光を捕捉して一以上の画像フレームの少なくとも一部、及び複数の搬送用ミシン目のデジタル画像からなる撮像フレームを含むデジタル画像を取得すること；
前記複数の搬送用ミシン目を含むデジタル画像を処理して、当該画像中の前記複数の搬送用ミシン目のエッジの位置を検出すること；
検出されたエッジの少なくとも一つと複数の基準位置との比較に基づいて前記撮像フレームの画像オフセットを決定することであって、各基準位置は、搬送用ミシン目の前記捕捉されたフレームとの所定の位置関係に応じた搬送用ミシン目のエッジの位置を表すこと；
該画像オフセットを表す信号を発生して少なくとも前記撮像フレームのアライメントを可能にすることを含む、フィルムスキャニング方法。
【請求項２】
フィルムの長手方向を横断する方向に伸びるエッジを検出することを含む、請求項１に記載の方法。
【請求項３】
フィルムの長手方向を横断する方向にエッジを検出することは：
フィルムの長手方向をそれぞれが横断する方向に伸びる複数のバンドの複数の画素値を平均化し、フィルムの長手方向に沿った異なる位置にそれぞれが対応する複数の値を含むアレイを生成することを含む、請求項２に記載の方法。
【請求項４】
検出されたエッジ数が基準位置数を超えており；
該方法は：
前記複数のエッジから検出されたエッジのサブセットを選択して画像オフセットを決定することを含む、請求項１から３のいずれか１項に記載の方法。
【請求項５】
該方法は、検出エッジの選択されたサブセットのエッジ毎に対応する基準位置からのエッジオフセットを決定することを含む、請求項４に記載の方法。
【請求項６】
決定されたエッジオフセットの代表値を決定し、前記代表値からの所定距離内の検出エッジに基づいて画像オフセットを決定することをさらに含む、請求項５に記載の方法。
【請求項７】
前記検出された複数のエッジと、複数の基準位置との比較に基づいて画像オフセットを決定することは：
エッジ検出フィルタの出力と前記複数の基準位置との相関関係を決定することを含む、請求項１から５のいずれか１項に記載の方法。
【請求項８】
エッジ検出フィルタの出力と前記複数の基準位置との間で最良の相関関係を生成するオフセットに基づいて画像オフセットが決定される、請求項７に記載の方法。
【請求項９】
該方法は：
検出エッジの選択されたサブセット内のエッジよりも高い振幅を有する検出エッジが存在する場合故障状態を判定することをさらに含む、請求項４から８のいずれか１項に記載の方法。
【請求項１０】
連続する撮像フレームのデジタル画像を復元する際に、画像オフセットを表す信号の生成により連続する撮像フレームのアライメントを可能にする、請求項１から９のいずれか１項に記載の方法。
【請求項１１】
撮像フレームに加えられる画像オフセットを表すメタデータと、
画像復元中に連続する撮像フレームの相対的位置をそのまま調整するために、ビデオ再生装置に与える制御信号と、
の少なくともいずれかの生成を含む、請求項１から１０のいずれかに記載の方法。
【請求項１２】
前記メタデータを撮像フレームを表すデータとともにデータファイルに記憶することを含む、請求項１１に記載の方法。
【請求項１３】
フィルムスキャン装置であって：
光源と；
フィルムを通過する光を捕捉して、一以上の前記画像フレームの少なくとも一部、及び複数の前記搬送用ミシン目のデジタル画像からなる撮像フレームを含むデジタル画像を取得するように構成された画像撮像システムと；
取得した画像データを処理するように配置されたデータ処理システムと；を備え、
前記フィルムスキャン装置は請求項１から１２のいずれか１項に記載の方法を実行する、フィルムスキャン装置。
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
ステージ上に配置された基板に電子部品をリフローイングするためのレーザーリフロー装置において、前記電子部品が配置された基板の少なくとも一部の区域にフラットトップ出力プロファイルを有するレーザービームを照射するためのレーザーモジュールを複数設けて構成されるレーザー照射部、
前記レーザービームによる前記電子部品のリフローイング工程を撮影するため、少なくとも一つのカメラモジュールで構成されるカメラ部、および
前記カメラ部からの出力信号に基づき、前記レーザー照射部の各レーザーモジュールを独立的にコントロールするための制御信号を生成して前記レーザー照射部に伝えるレーザー出力調整部を含み、
前記それぞれのレーザーモジュールから照射されるレーザービームは、ビームの形およびビームの面積のうち、少なくとも一つが互いに相違する、レーザーリフロー装置。
【請求項２】
前記レーザービームは、互いに波長が相違する請求項１に記載のレーザーリフロー装置。
【請求項３】
前記それぞれのレーザーモジュールから照射されるレーザービームの内、一部は、ビームの形とビームの面積および照射する領域が同一で、相互に積み重なり、その一部は、ビームの形とビームの面積および照射する領域の内、少なくとも一つが相違する請求項１又は２に記載のレーザーリフロー装置。
【請求項４】
前記レーザーモジュールに内装された光学系は、ビームシェーパー、少なくとも一組の円筒型のレンズ、前記少なくとも一組の円筒型のレンズと直角方向へ配置された他の少なくとも一組の円筒方のレンズおよび一つ以上の凸レンズと凹レンズの組合せで構成されるズームレンズモジュールを含む請求項１から３のいずれか一項の請求項に記載のレーザーリフロー装置。
【手続補正２】
【補正対象書類名】明細書
【補正対象項目名】発明の名称
【補正方法】変更
【補正の内容】
【発明の名称】レーザーリフロー装置
【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
脛骨ベースプレートであって、
前記脛骨ベースプレートの対応する場所における力を検出するための複数の力センサと、
前記複数の力センサに対応し、前記脛骨ベースプレートにそれぞれの場所において大腿骨を脛骨から変位させる複数のアクチュエータと
を含む、脛骨ベースプレートと、
プロセッサであって、
前記脛骨ベースプレートの前記複数の力センサから前記対応する場所における力に関する力情報を受け取り、
前記回転角度が目標の屈曲又は進展ギャップを達成するように判定されるように、前記力情報に基づいて前記脛骨に対する前記大腿骨の回転角度を判定し、
表示のために前記回転角度を出力し、
前記回転角度に基づいてロボットのエンドエフェクタを制御して、切除を行うか或いは切断ガイドを配置するための、プロセッサと、
を備える、軟組織平衡化システム。
【請求項２】
前記複数の力センサが、前記脛骨ベースプレートの４つの四分円に対応する４つの力センサを含む、請求項１に記載の軟組織平衡化システム。
【請求項３】
前記複数のアクチュエータが、相互に独立して起動されるように構成される、請求項１又は２に記載の軟組織平衡化システム。
【請求項４】
前記複数のアクチュエータが、前記回転角度を判定する前に、前記大腿骨を前記脛骨に連結する１つ又は複数の靱帯が張力を受けるまで、前記１つ又は複数の靱帯に対して張力を加えるように起動される、請求項１から３のいずれか１項に記載の軟組織平衡化システム。
【請求項５】
前記複数のアクチュエータが、前記複数の力センサの数に対応する数のアクチュエータを含む、請求項１から４のいずれか１項に記載の軟組織平衡化システム。
【請求項６】
前記プロセッサが、前記大腿骨の切断のための切除角度を判定するために前記回転角度を使用するように構成されている、請求項１から５のいずれか１項に記載の軟組織平衡化システム。
【請求項７】
前記大腿骨を前記脛骨に連結する軟組織に対して実施される解放切断に応じて、前記複数のアクチュエータが、更に、前記脛骨ベースプレートにそれぞれの場所において前記大腿骨を前記脛骨から更に変位させる、請求項１から６のいずれか１項に記載の軟組織平衡化システム。
【請求項８】
前記複数のアクチュエータが、前記回転角度が予め設定された角度であると前記プロセッサが判定するのに応じて、前記脛骨ベースプレートに前記脛骨に対する変位から前記大腿骨を解放させる、請求項１から７のいずれか１項に記載の軟組織平衡化システム。
【請求項９】
脛骨ベースプレートであって、前記脛骨ベースプレートの対応する場所における力を検出するための複数の力センサを含む、脛骨ベースプレートと、
プロセッサであって、
前記脛骨ベースプレートの前記複数の力センサから前記対応する場所についての力情報を受け取り、
前記回転角度が目標の屈曲又は進展ギャップを達成するように判定されるように、前記力情報に基づいて脛骨に対する大腿骨の回転角度を判定し、
表示のために前記回転角度を出力し、
前記回転角度に基づいてロボットのエンドエフェクタを制御して、切除を行うか或いは切断ガイドを配置するための、プロセッサと、
を備える、軟組織平衡化システム。
【請求項１０】
前記複数の力センサが、前記脛骨ベースプレートの４つの四分円に対応する４つの力センサを含む、請求項９に記載の軟組織平衡化システム。
【請求項１１】
前記複数の力センサが、相互に独立して起動されるように構成される、請求項９又は１０に記載の軟組織平衡化システム。
【請求項１２】
前記プロセッサが、前記大腿骨の切断のための切除角度を判定するために前記回転角度を使用するように構成されている、請求項９から１１のいずれか１項に記載の軟組織平衡化システム。
【請求項１３】
前記大腿骨を前記脛骨に連結する軟組織に対して実施される解放切断に応じて、前記脛骨ベースプレートが、それぞれの場所において前記大腿骨を前記脛骨から更に変位させる、請求項９から１２のいずれか１項に記載の軟組織平衡化システム。
【請求項１４】
前記回転角度が予め設定された角度であると前記プロセッサが判定するのに応じて、前記脛骨ベースプレートが、前記脛骨に対する変位から前記大腿骨を解放させる、請求項９から１３のいずれか１項に記載の軟組織平衡化システム。
【請求項１５】
処理回路で及び力センサから、大腿骨によって付与され脛骨に対する大腿骨のそれぞれの場所に対応した力を示す情報を受け取る工程と、
回転角度が目標の屈曲又は進展ギャップを達成するように判定されるように、前記受け取った情報に基づいて前記脛骨に対する前記大腿骨の回転角度を判定する工程と、
表示のために前記回転角度を出力する工程と、
前記回転角度に基づいて、ロボットのエンドエフェクタを制御して、切除を行うか或いは切断ガイドを配置する工程と、
を含む方法。
【請求項１６】
処理回路で、脛骨に固定される脛骨ベースプレートの複数の力センサからそれぞれの場所に対応した力情報を受け取る工程と、
回転角度が目標の屈曲又は進展ギャップを達成するように判定されるように、前記力情報に基づいて前記脛骨に対する前記大腿骨の回転角度を判定する工程と、
表示のために前記回転角度を出力する工程と、
前記回転角度に基づいて、ロボットのエンドエフェクタを制御して、切除を行うか或いは切断ガイドを配置する工程と、
を含む方法。
【請求項１７】
前記複数の力センサが、前記脛骨ベースプレートの４つの四分円に対応する４つの力センサを含む、請求項１６に記載の方法。
【請求項１８】
前記大腿骨の切断のための切除角度を測定するために回転角度を更に使用する工程を含む、請求項１６又は１７に記載の方法。
【請求項１９】
前記複数の力センサに対応する複数のアクチュエータを作動させて、前記それぞれの場所において大腿骨を脛骨から変位させる工程を含む、請求項１６から１８のいずれか1項に記載の方法。
【請求項２０】
前記回転角度を判定する前に、前記大腿骨を前記脛骨に連結する１つ又は複数の靱帯が張力を受けるまで、前記１つ又は複数の靱帯に対して張力を加えるように、前記複数のアクチュエータを起動させる工程を含む、請求項１９に記載の方法。
【手続補正書】
【提出日】令和3年7月21日(2021.7.21)
【手続補正１】
【補正対象書類名】明細書
【補正対象項目名】００５７
【補正方法】変更
【補正の内容】
【００５７】
（不織布）
上記説明における不織布としては、部位や目的に応じて公知の不織布を適宜使用することができる。不織布の構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となったものを含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も用いることができる。
【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
メカストッパにて可動範囲を規制された可動役物を、前記メカストッパに当接させずに駆動する役物演出を行う遊技機において、
前記可動役物の駆動源と、
前記メカストッパの手前の検知位置で前記可動役物を検出する検知センサと、
前記役物演出中は、前記可動役物が前記検知センサに検知されない範囲で移動するように前記駆動源を制御する演出制御部と、
前記可動役物の位置を検出する位置センサと、を備え、
前記演出制御部は、前記役物演出中は、前記可動役物が、予め設定された複数の目標位置に移動するように前記位置センサの検出結果に基づいて前記可動役物の位置をフィードバック制御し、
前記複数の目標位置のうち最も前記メカストッパに近い端部目標位置は、前記検知位置より前記メカストッパから離して配置されている、遊技機。
【手続補正２】
【補正対象書類名】明細書
【補正対象項目名】０００５
【補正方法】変更
【補正の内容】
【０００５】
本開示の遊技機は、メカストッパにて可動範囲を規制された可動役物を、前記メカストッパに当接させずに駆動する役物演出を行う遊技機において、前記可動役物の駆動源と、前記メカストッパの手前の検知位置で前記可動役物を検出する検知センサと、前記役物演出中は、前記可動役物が前記検知センサに検知されない範囲で移動するように前記駆動源を制御する演出制御部と、前記可動役物の位置を検出する位置センサと、を備え、前記演出制御部は、前記役物演出中は、前記可動役物が、予め設定された複数の目標位置に移動するように前記位置センサの検出結果に基づいて前記可動役物の位置をフィードバック制御し、前記複数の目標位置のうち最も前記メカストッパに近い端部目標位置は、前記検知位置より前記メカストッパから離して配置されている、遊技機である。
【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
可動役物が目標停止位置に向けて移動する移動動作を繰り返す役物演出を行う遊技機であって、
前記可動役物の位置を検出する位置センサと、
前記可動役物の駆動源と、
前記駆動源を制御する演出制御手段と、を備え、
前記演出制御手段は、前記目標停止位置と前記位置センサの検出結果とに基づいて前記可動役物の位置をフィードバック制御し、
前記演出制御手段は、前記移動動作において、前記可動役物が設定された前記目標停止位置に到達すると、前記フィードバック制御を中断して前記駆動源による前記可動役物の駆動を停止する中断処理が行われ、
前記目標停止位置は複数設定され、
前記複数の目標停止位置の１つとして特別位置が設定され、
前記特別位置を離れてから次に前記特別位置に向かうまでの間の前記中断処理の実行回数に基づいて、前記可動役物を前記特別位置で停止するための減速状況を変更する減速変更処理を行う遊技機。
【手続補正２】
【補正対象書類名】明細書
【補正対象項目名】０００５
【補正方法】変更
【補正の内容】
【０００５】
本開示の遊技機は、可動役物が目標停止位置に向けて移動する移動動作を繰り返す役物演出を行う遊技機であって、前記可動役物の位置を検出する位置センサと、前記可動役物の駆動源と、前記駆動源を制御する演出制御手段と、を備え、前記演出制御手段は、前記目標停止位置と前記位置センサの検出結果とに基づいて前記可動役物の位置をフィードバック制御し、前記演出制御手段は、前記移動動作において、前記可動役物が設定された前記目標停止位置に到達すると、前記フィードバック制御を中断して前記駆動源による前記可動役物の駆動を停止する中断処理が行われ、前記目標停止位置は複数設定され、
前記複数の目標停止位置の１つとして特別位置が設定され、前記特別位置を離れてから次に前記特別位置に向かうまでの間の前記中断処理の実行回数に基づいて、前記可動役物を前記特別位置で停止するための減速状況を変更する減速変更処理を行う遊技機である。
【手続補正書】
【提出日】令和3年5月27日(2021.5.27)
【手続補正１】
【補正対象書類名】明細書
【補正対象項目名】００１３
【補正方法】変更
【補正の内容】
【００１３】
図２において、鉗子マニピュレータ装置は、２自由度鉗子型であって、外径８ｍｍ程度、内径６ｍｍ程度の金属たとえばステンレス製のパイプ１と、パイプ１に連結され、スラスト軸（又はユニバーサルジョイント）によって構成され、θ方向、φ方向の２方向に駆動する関節２と、関節２のパイプ１の反対側に鉗子リンク３を介して接続された鉗子グリッパ４とによって構成されている。パイプ１内及びパイプ１の非鉗子側には、関節２を駆動させるための素線径０．０４ｍｍ程度のワイヤをよったケーブル（このケーブルを慣例的にワイヤと呼んでいるので、以下ワイヤとする）Ｗ１、Ｗ２、Ｗ３、Ｗ４及び鉗子グリッパ４を駆動させるためのワイヤＷ５、Ｗ６が配設されている。この場合、拮抗駆動されるワイヤＷ１、Ｗ２は関節２において接続され、関節２をθ方向に駆動させる。また、拮抗駆動されるワイヤＷ３、Ｗ４は関節２において接続され、関節２をφ方向に駆動させる。さらに、拮抗駆動されるワイヤＷ５、Ｗ６は鉗子グリッパ４において接続され、鉗子グリッパ４を開閉する。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
少なくとも遊技実績に基づいて算出される所定情報を表示可能な表示手段を備え、
所定の開始条件を満たす場合に、前記所定情報の表示を可能とし、
前記所定情報は、所定周期で間欠的に点灯表示される
ことを特徴とする遊技機。
【手続補正２】
【補正対象書類名】明細書
【補正対象項目名】０００２
【補正方法】変更
【補正の内容】
【０００２】
パチンコ機等の遊技機としては、例えば特許文献１に記載されたものが知られている。
【手続補正３】
【補正対象書類名】明細書
【補正対象項目名】０００４
【補正方法】変更
【補正の内容】
【０００４】
本発明は、遊技実績に基づく情報の表示を好適に行うことを目的とする。
【手続補正４】
【補正対象書類名】明細書
【補正対象項目名】０００５
【補正方法】変更
【補正の内容】
【０００５】
本発明は、少なくとも遊技実績に基づいて算出される所定情報を表示可能な表示手段を備え、所定の開始条件を満たす場合に、前記所定情報の表示を可能とし、前記所定情報は、所定周期で間欠的に点灯表示されるものである。
【手続補正５】
【補正対象書類名】明細書
【補正対象項目名】０００６
【補正方法】変更
【補正の内容】
【０００６】
本発明によれば、遊技実績に基づく情報の表示を好適に行うことが可能である。
【手続補正書】
【提出日】令和3年3月17日(2021.3.17)
【手続補正１】
【補正対象書類名】明細書
【補正対象項目名】００５７
【補正方法】変更
【補正の内容】
【００５７】
［第２実施例］
第２実施例では、上述したビーム要素として、ガウスリップルフィルタ（σ＝１．８ｍｍ）によってなまされた核子当たり２９０ＭｅＶの炭素イオンビーム（図３に示す特性を有する粒子線ビーム）を用いた。
水等価深ｄにおける粒子線ビームの線量ＤＭ（ｄ）は、下記式（１）によって表され、粒子線ビームを構成するビーム要素ｉの深さｄにおける線量Ｄｉ（ｄ）は、下記式（２）によって表される。式（１）および式（２）において、ｗｉはビーム要素ｉの重みであり、Ｄ０は図３（Ａ）中の「物理線量」であり、ｓｉはビーム要素ｉのレンジシフトである。
【手続補正２】
【補正対象書類名】明細書
【補正対象項目名】００６０
【補正方法】変更
【補正の内容】
【００６０】
水等価深ｄにおける線量応答ＦＭ（ｄ）は、下記式（４）によって表され、ビーム要素ｉの深さｄにおける線量応答Ｆｉ（ｄ）は、下記式（５）によって表される。式（５）において、Ｆ０は図３（Ａ）中の「線量応答」である。
【手続補正３】
【補正対象書類名】明細書
【補正対象項目名】００６６
【補正方法】変更
【補正の内容】
【００６６】
生物学的効果Ｅ（Ｂ）、ＥＭ（つまり、生物学的効果は生物線量Ｂの関数）は、下記式（９）あるいは下記式（１０）によって表される。ビーム要素ｉごとの生物学的効果Ｅｉは、下記式（１１）によって表される。式（９）において、Ｓ（Ｂ）は参照細胞の生存割合であり、参照細胞の生存割合Ｓ（Ｂ）は、生物線量Ｂの関数である。
【手続補正書】
【提出日】令和3年6月30日(2021.6.30)
【手続補正１】
【補正対象書類名】明細書
【補正対象項目名】００２５
【補正方法】変更
【補正の内容】
【００２５】
以下、各層１０，２０，３０の詳細を説明する。説明中、ＭＦＲは、JIS K7210-1：2014（プラスチック−熱可塑性プラスチックのメルトマスフローレイト（ＭＦＲ）及びメルトボリュームフローレイト（ＭＶＲ）の求め方−第１部：標準的試験方法）に規定されたＭＦＲであるものとする。また、算術平均粗さは、粗さ曲線の中心線からの偏差の絶対値の平均値であり、具体的には、JIS B0601：2013（製品の幾何特性仕様（ＧＰＳ）−表面性状：輪郭曲線方式−用語，定義及び表面性状パラメータ）に規定される算術平均粗さＲａとする。
【手続補正２】
【補正対象書類名】明細書
【補正対象項目名】００４６
【補正方法】変更
【補正の内容】
【００４６】
合成樹脂層３０の通気度は、例えば、次のようにして調節することができる。合成樹脂層３０の通気度を大きくするためには、合成樹脂層３０のための熱可塑性樹脂のＭＦＲを大きくしたり、合成樹脂フィルム８０の目付を少なくしたりすればよい。これらによりプレス成形後の合成樹脂層３０の開口３１が大きくなり易くなり、合成樹脂層３０の通気度が大きくなる。合成樹脂層３０の通気度を小さくするためには、合成樹脂層３０のための熱可塑性樹脂のＭＦＲを小さくしたり、合成樹脂フィルム８０の目付を多くしたりすればよい。これらによりプレス成形後の合成樹脂層３０の開口３１が小さくなり易くなり、合成樹脂層３０の通気度が小さくなる。
【手続補正書】
【提出日】令和3年9月21日(2021.9.21)
【手続補正１】
【補正対象書類名】明細書
【補正対象項目名】０００６
【補正方法】変更
【補正の内容】
【０００６】
本発明の第１の観点に係る造形物は、
基材と、前記基材の第１の面に設けられ、熱膨張性材料を含む熱膨張層と、前記基材の第２の面と前記熱膨張層との少なくともいずれか一方の上に設けられ、電磁波を熱に変換する熱変換材料を含む熱変換部材と、を備える熱膨張性シートを備え、
前記熱変換部材は、前記熱膨張層を膨張させる膨張領域に対応する領域の全体に配置された複数の熱変換層を備え、１つの熱変換層の少なくとも一部は、隣接する別の熱変換層と離間するように配置されており、
前記熱変換層が設けられた領域において、前記熱膨張層は膨張されているとともに部分的に前記基材から剥離されており、前記１つの熱変換層と前記別の熱変換層との間の領域における前記熱膨張層も膨張されている、
ことを特徴とする。
【手続補正２】
【補正対象書類名】明細書
【補正対象項目名】０００７
【補正方法】変更
【補正の内容】
【０００７】
本発明の第２の観点に係る造形物の製造方法は、
基材と、前記基材の第１の面に設けられ、熱膨張性材料を含む熱膨張層と、前記基材の第２の面と前記熱膨張層との少なくともいずれか一方の上に設けられ、電磁波を熱に変換する熱変換材料を含む熱変換部材と、を備える熱膨張性シートを用い、
前記熱膨張性シートに対して電磁波を照射し、前記熱膨張層を膨張させる膨張工程を有し、
前記熱変換部材は、前記熱膨張層を膨張させる膨張領域に対応する領域の全体に配置された複数の熱変換層を備え、１つの熱変換層の少なくとも一部は、隣接する別の熱変換層と離間するように配置されており、
前記膨張工程では、前記熱変換層が設けられた領域における前記熱膨張層を、少なくとも一部が基材から剥離するまで膨張させるともに、前記１つの熱変換層と前記別の熱変換層との間の領域における前記熱膨張層も膨張させることで前記膨張領域の全体を膨張させる、
ことを特徴とする。
【手続補正３】
【補正対象書類名】特許請求の範囲
【補正対象項目名】全文
【補正方法】変更
【補正の内容】
【特許請求の範囲】
【請求項１】
基材と、前記基材の第１の面に設けられ、熱膨張性材料を含む熱膨張層と、前記基材の第２の面と前記熱膨張層との少なくともいずれか一方の上に設けられ、電磁波を熱に変換する熱変換材料を含む熱変換部材と、を備える熱膨張性シートを備え、
前記熱変換部材は、前記熱膨張層を膨張させる膨張領域に対応する領域の全体に配置された複数の熱変換層を備え、１つの熱変換層の少なくとも一部は、隣接する別の熱変換層と離間するように配置されており、
前記熱変換層が設けられた領域において、前記熱膨張層は膨張されているとともに部分的に前記基材から剥離されており、前記１つの熱変換層と前記別の熱変換層との間の領域における前記熱膨張層も膨張されている、
ことを特徴とする造形物。
【請求項２】
前記複数の熱変換層は、ドット状又は格子状に配置される、
ことを特徴とする請求項１に記載の造形物。
【請求項３】
前記複数の熱変換層の平面形状は、全てが同一の形状である、
ことを特徴とする請求項１に記載の造形物。
【請求項４】
前記複数の熱変換層の平面形状は、少なくとも一部が他と異なる形である、
ことを特徴とする請求項１に記載の造形物。
【請求項５】
前記複数の熱変換層は、ランダム又は規則的に配置される、
ことを特徴とする請求項２に記載の造形物。
【請求項６】
前記基材は樹脂製のシートである、
ことを特徴とする請求項１に記載の造形物。
【請求項７】
前記熱膨張層又は前記基材の前記第２の面にカラーインク層を備える、
ことを特徴とする請求項１に記載の造形物。
【請求項８】
基材と、前記基材の第１の面に設けられ、熱膨張性材料を含む熱膨張層と、前記基材の第２の面と前記熱膨張層との少なくともいずれか一方の上に設けられ、電磁波を熱に変換する熱変換材料を含む熱変換部材と、を備える熱膨張性シートを用い、
前記熱膨張性シートに対して電磁波を照射し、前記熱膨張層を膨張させる膨張工程を有し、
前記熱変換部材は、前記熱膨張層を膨張させる膨張領域に対応する領域の全体に配置された複数の熱変換層を備え、１つの熱変換層の少なくとも一部は、隣接する別の熱変換層と離間するように配置されており、
前記膨張工程では、前記熱変換層が設けられた領域における前記熱膨張層を、少なくとも一部が基材から剥離するまで膨張させるともに、前記１つの熱変換層と前記別の熱変換層との間の領域における前記熱膨張層も膨張させることで前記膨張領域の全体を膨張させる、
ことを特徴とする造形物の製造方法。
【請求項９】
前記複数の熱変換層は、ドット状又は格子状に配置される、
ことを特徴とする請求項８に記載の造形物の製造方法。
【請求項１０】
前記複数の熱変換層の平面形状は、全てが同一の形状である、
ことを特徴とする請求項８に記載の造形物の製造方法。
【請求項１１】
前記複数の熱変換層の平面形状は、少なくとも一部が他と異なる形である、
ことを特徴とする請求項８に記載の造形物の製造方法。
【請求項１２】
前記複数の熱変換層は、ランダム又は規則的に配置される、
ことを特徴とする請求項９に記載の造形物の製造方法。
【請求項１３】
前記基材は樹脂製のシートである、
ことを特徴とする請求項８に記載の造形物の製造方法。
【請求項１４】
前記熱膨張層又は前記基材の前記第２の面にカラーインク層を備える、
ことを特徴とする請求項８に記載の造形物の製造方法。
【手続補正書】
【提出日】令和3年9月21日(2021.9.21)
【手続補正１】
【補正対象書類名】明細書
【補正対象項目名】０００６
【補正方法】変更
【補正の内容】
【０００６】
本発明の第１の観点に係る造形物は、
基材と、前記基材の第１の面に設けられ、熱膨張性材料を含む熱膨張層と、前記基材の前記第１の面と反対側の第２の面と前記熱膨張層の前記基材と反対側の面との少なくともいずれか一方の面上に設けられ、電磁波を熱に変換する熱変換材料を含む熱変換部材と、を備える熱膨張性シートを備え、
前記少なくともいずれか一方の面上において、前記熱変換部材を多く含む第１領域と、前記熱変換部材を前記第１領域よりも少なく含む或いは前記熱変換部材を含まない第２領域とが隣接して配置されるように、前記熱変換部材が設けられており、
前記第１領域及び前記第２領域において前記熱膨張層が膨張されているとともに、前記第１領域の一部において前記熱膨張層が前記基材から剥離している、
ことを特徴とする。
【手続補正２】
【補正対象書類名】明細書
【補正対象項目名】０００７
【補正方法】変更
【補正の内容】
【０００７】
本発明の第２の観点に係る造形物の製造方法は、
基材と、前記基材の第１の面に設けられ、熱膨張性材料を含む熱膨張層と、前記基材の前記第１の面と反対側の第２の面と前記熱膨張層の前記基材と反対側の面との少なくともいずれか一方の面上に設けられ、電磁波を熱に変換する熱変換材料を含む熱変換部材と、を備える熱膨張性シートを用い、
前記熱膨張性シートに対して電磁波を照射し、前記熱膨張層を膨張させる膨張工程を有し、
前記少なくともいずれか一方の面上において、前記熱変換部材を多く含む第１領域と、前記熱変換部材を前記第１領域よりも少なく含む或いは前記熱変換部材を含まない第２領域とが隣接して配置されるように、前記熱変換部材が設けられ、
前記膨張工程では、前記第１領域及び前記第２領域において前記熱膨張層を膨張させるとともに、前記第１領域の一部において前記熱膨張層が前記基材から剥離するまで前記熱膨張層を膨張させる、
ことを特徴とする。
【手続補正３】
【補正対象書類名】特許請求の範囲
【補正対象項目名】全文
【補正方法】変更
【補正の内容】
【特許請求の範囲】
【請求項１】
基材と、前記基材の第１の面に設けられ、熱膨張性材料を含む熱膨張層と、前記基材の前記第１の面と反対側の第２の面と前記熱膨張層の前記基材と反対側の面との少なくともいずれか一方の面上に設けられ、電磁波を熱に変換する熱変換材料を含む熱変換部材と、を備える熱膨張性シートを備え、
前記少なくともいずれか一方の面上において、前記熱変換部材を多く含む第１領域と、前記熱変換部材を前記第１領域よりも少なく含む或いは前記熱変換部材を含まない第２領域とが隣接して配置されるように、前記熱変換部材が設けられており、
前記第１領域及び前記第２領域において前記熱膨張層が膨張されているとともに、前記第１領域の一部において前記熱膨張層が前記基材から剥離している、
ことを特徴とする造形物。
【請求項２】
前記第２領域の少なくとも一部において、前記熱膨張層が前記基材から剥離されていない、
ことを特徴とする請求項１に記載の造形物。
【請求項３】
前記第１領域と前記第２領域が繰り返し交互に分布するように、前記熱変換部材が設けられている、
ことを特徴とする請求項１又は２に記載の造形物。
【請求項４】
前記熱膨張層がクッション性を備えている、
ことを特徴とする請求項１乃至３の何れか１項に記載の造形物。
【請求項５】
前記第１領域又は前記第２領域がランダム又は規則的に配置されるように、前記熱変換部材が設けられている、
ことを特徴とする請求項１乃至４の何れか１項に記載の造形物。
【請求項６】
前記基材は樹脂製のシートである、
ことを特徴とする請求項１乃至５の何れか１項に記載の造形物。
【請求項７】
前記少なくともいずれか一方の面上にカラーインク層を備える、
ことを特徴とする請求項１乃至６の何れか１項に記載の造形物。
【請求項８】
基材と、前記基材の第１の面に設けられ、熱膨張性材料を含む熱膨張層と、前記基材の前記第１の面と反対側の第２の面と前記熱膨張層の前記基材と反対側の面との少なくともいずれか一方の面上に設けられ、電磁波を熱に変換する熱変換材料を含む熱変換部材と、を備える熱膨張性シートを用い、
前記熱膨張性シートに対して電磁波を照射し、前記熱膨張層を膨張させる膨張工程を有し、
前記少なくともいずれか一方の面上において、前記熱変換部材を多く含む第１領域と、前記熱変換部材を前記第１領域よりも少なく含む或いは前記熱変換部材を含まない第２領域とが隣接して配置されるように、前記熱変換部材が設けられ、
前記膨張工程では、前記第１領域及び前記第２領域において前記熱膨張層を膨張させるとともに、前記第１領域の一部において前記熱膨張層が前記基材から剥離するまで前記熱膨張層を膨張させる、
ことを特徴とする造形物の製造方法。
【請求項９】
前記膨張工程では、前記第２領域の少なくとも一部において、前記熱膨張層が前記基材から剥離しないように前記熱膨張層を膨張させる、
ことを特徴とする請求項８に記載の造形物の製造方法。
【請求項１０】
前記第１領域と前記第２領域が繰り返し交互に分布するように、前記熱変換部材が設けられている、
ことを特徴とする請求項８又は９に記載の造形物の製造方法。
【請求項１１】
前記熱膨張層がクッション性を備えている、
ことを特徴とする請求項８乃至１０の何れか１項に記載の造形物の製造方法。
【請求項１２】
前記第１領域又は前記第２領域がランダム又は規則的に配置されるように、前記熱変換部材が設けられている、
ことを特徴とする請求項８乃至１１の何れか１項に記載の造形物の製造方法。
【請求項１３】
前記基材は樹脂製のシートである、
ことを特徴とする請求項８乃至１２の何れか１項に記載の造形物の製造方法。
【請求項１４】
前記少なくともいずれか一方の面上にカラーインク層を備える、
ことを特徴とする請求項８乃至１３の何れか１項に記載の造形物の製造方法。
【手続補正書】
【提出日】令和3年9月10日(2021.9.10)
【手続補正１】
【補正対象書類名】明細書
【補正対象項目名】０００７
【補正方法】変更
【補正の内容】
【０００７】
本発明の一態様に係る印刷装置は、印刷データを長尺状の被印刷媒体に印刷する印刷部と、前記印刷部により前記被印刷媒体に対し印刷させることにより、前記印刷データに加えて、前記被印刷媒体の長さ方向において互いに離間しかつ係合部及び係止部に対応する、一対のマークが印刷されるように制御する制御部と、を備える。
【手続補正２】
【補正対象書類名】特許請求の範囲
【補正対象項目名】全文
【補正方法】変更
【補正の内容】
【特許請求の範囲】
【請求項１】
印刷データを長尺状の被印刷媒体に印刷する印刷部と、
前記印刷部により前記被印刷媒体に対し印刷させることにより、前記印刷データに加えて、前記被印刷媒体の長さ方向において互いに離間しかつ係合部及び係止部に対応する、一対のマークが印刷されるように制御する制御部と、
を備えることを特徴とする印刷装置。
【請求項２】
前記制御部は、
前記係合部に対応する孔マークと、前記係止部に対応する切欠きマークとが印刷されるように制御する、
請求項１に記載の印刷装置。
【請求項３】
前記制御部は、
前記切欠きマークとして、前記被印刷媒体の長さ方向及び幅方向に幅を有する切欠きが印刷されるように制御する、
請求項２に記載の印刷装置。
【請求項４】
前記制御部は、
前記孔マークとして、前記被印刷媒体の長さ方向及び幅方向に幅を有する孔が印刷されるように制御する、
請求項２又は３に記載の印刷装置。
【請求項５】
前記制御部は、
前記孔マークとして、前記孔の一端又は両端につながるスリットに対応する線がさらに印刷されるように制御する、
請求項４に記載の印刷装置。
【請求項６】
前記制御部は、前記被印刷媒体の長さ方向において、前記印刷データと前記前記一対のマークとが重なる位置に印刷されるように制御する、
請求項１から５のうち何れかに記載の印刷装置。
【請求項７】
前記制御部は、
前記被印刷媒体の長さ方向において、前記印刷データの一部がある間隔をおいて印刷されるように制御し、
前記被印刷媒体の長さ方向において、前記ある間隔の両端に前記一対のマークが印刷されるように制御する、
請求項１から６のうち何れかに記載の印刷装置。
【請求項８】
前記制御部は、
前記被印刷媒体の長さ方向において、前記印刷データを挟むように前記一対のマークが印刷されるように制御する、
請求項１から６のうち何れかに記載の印刷装置。
【請求項９】
前記制御部は、
前記被印刷媒体の長さ方向の端部である第１位置側に寄せて前記一対のマークの一方のマークが印刷され、かつ、印刷後に前記被印刷媒体が切断される前記被印刷媒体の長さ方向における第２位置側に寄せて前記一対のマークの他方のマークが印刷されるように制御する、
請求項８に記載の印刷装置。
【請求項１０】
前記制御部は、
前記係止部として、前記被印刷媒体の長さ方向の中央部から前記第１位置又は前記第２位置へ前記被印刷媒体の幅方向の幅が狭い幅狭部と幅が広い幅広部とが順に並んだマークが印刷されるように制御する、
請求項８又は９に記載の印刷装置。
【請求項１１】
前記制御部は、
前記被印刷媒体の長さ方向において、前記一対のマークとして、前記係合部に対応するマークと前記係止部に対応するマークとの間隔が異なる複数組のマークが印刷されるように制御する、
請求項１から１０のうち何れかに記載の印刷装置。
【請求項１２】
前記制御部は、前記被印刷媒体を取り付ける取付対象の設定を受け付け、設定された前記取付対象に対応する位置に前記一対のマークが印刷されるように前記印刷部を制御すること特徴とする請求項１から１１のうち何れかに記載の印刷装置。
【請求項１３】
前記制御部は、前記被印刷媒体を取り付ける取付対象の周囲長の設定を受け付け、設定された前記取付対象の周囲長に対応する位置に前記一対のマークが印刷されるように前記印刷部を制御すること特徴とする請求項１から１２のうち何れかに記載の印刷装置。
【請求項１４】
印刷データを長尺状の被印刷媒体に印刷する印刷部を備えた印刷装置の制御方法であって、
前記印刷部により前記被印刷媒体に対し印刷させることにより、前記印刷データに加えて、前記被印刷媒体の長さ方向において互いに離間しかつ係合部及び係止部に対応する、一対のマークが印刷されるように制御することを特徴とする制御方法。
【請求項１５】
印刷データを長尺状の被印刷媒体に印刷する印刷部を備えた印刷装置のコンピュータに、
前記印刷部により前記被印刷媒体に対し印刷させることにより、前記印刷データに加えて、前記被印刷媒体の長さ方向において互いに離間しかつ係合部及び係止部に対応する、一対のマークが印刷されるように制御する処理を実行させることを特徴とするプログラム。
【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
記憶部を備え、複数のプレイヤが参加する対戦ゲームを実行するゲーム装置の制御プログラムであって、
前記対戦ゲームにおける対戦相手を示す表示情報と、複数のゲーム効果に関する情報と、を前記記憶部に記憶し、
プレイヤによる前記表示情報の表示指示を取得し、
前記表示指示を取得した取得時刻が所定期間に含まれるか否かを判定し、
前記取得時刻が前記所定期間に含まれると判定された場合、前記複数のゲーム効果に関する情報のうちから選択された前記ゲーム効果に関する情報を前記表示情報に関連付け、
前記表示情報を表示し、
前記プレイヤによる、表示された前記表示情報を選択する対戦開始指示に応じ、前記プレイヤが前記選択された表示情報によって示される前記対戦相手と対戦する対戦ゲームを新たに開始する
ことを前記ゲーム装置に実行させ、
前記選択された表示情報によって示される前記対戦相手と対戦する前記対戦ゲームにおいて、前記選択された表示情報に関連付けられた前記ゲーム効果が発生する
ことを特徴とする制御プログラム。
【請求項２】
前記表示情報を記憶することにおいて、複数の表示情報を前記記憶部に記憶し、
前記ゲーム効果に関する情報を前記表示情報に関連付けることにおいて、複数の表示情報のそれぞれについて、前記複数のゲーム効果に関する情報のうち、選択された前記ゲーム効果に関する情報を前記表示情報に関連付け、
前記表示情報を表示することにおいて、前記複数の表示情報を表示し、
前記対戦ゲームを新たに開始することにおいて、前記プレイヤによる、表示された前記複数の表示情報の何れかを選択する対戦開始指示に応じ、選択された前記表示情報によって示される前記対戦相手と対戦する前記対戦ゲームを開始する、
ことを前記ゲーム装置に実行させる、請求項１に記載の制御プログラム。
【請求項３】
複数のグループに関する情報のそれぞれに、一以上の前記対戦相手を関連付けて前記記憶部に記憶し、
前記複数のゲーム効果に関する情報のそれぞれに、前記複数のグループの何れかのグループに関する情報を関連付けて前記記憶部に記憶し、
前記ゲーム効果に関する情報を前記表示情報に関連付けることにおいて、前記取得時刻が前記所定期間に含まれると判定された場合、
前記取得した前記表示指示に係る前記表示情報によって示される前記対戦相手に関する情報を取得し、
前記取得した前記対戦相手に関連付けられた前記グループに関する情報を取得し、
取得された前記グループに関する情報に関連付けられた前記ゲーム効果に関する情報のうちから選択された前記ゲーム効果に関する情報を前記表示情報に関連付ける、
ことを前記ゲーム装置に実行させる、請求項２に記載の制御プログラム。
【請求項４】
前記対戦開始指示によって選択された前記表示情報を選択不可に設定し、
所定時刻が到来してから最初に表示指示を取得するたびに、選択不可に設定された前記表示情報を選択可能に設定する、
ことを前記ゲーム装置に実行させる、請求項２又は３に記載の制御プログラム。
【請求項５】
前記所定期間の終了時刻は、前記所定時刻と一致する、請求項４に記載の制御プログラム。
【請求項６】
前記他のプレイヤは、前記対戦ゲームへの参加を要求するための画面を操作することによる前記他のプレイヤの参加要求指示によって前記対戦ゲームに参加し、
前記画面には、前記対戦ゲームにおいて適用される前記ゲーム効果に関する情報が含まれる、請求項１〜５の何れか一項に記載の制御プログラム。
【請求項７】
前記対戦ゲームの終了後、前記プレイヤと前記他のプレイヤとに特典に関する情報を関連付ける、ことを前記ゲーム装置に実行させる、請求項１〜６の何れか一項に記載の制御プログラム。
【請求項８】
前記プレイヤと前記他のプレイヤとは、各プレイヤに関連付けられたプレイヤゲーム媒体に関する情報のうちから選択されたプレイヤゲーム媒体に関する情報を使用して前記対戦ゲームに参加し、
前記複数のゲーム効果に関する情報のうちの少なくとも一のゲーム効果に関する情報は、選択された前記プレイヤゲーム媒体に関する所定条件が満たされるか否かに応じて内容が異なり且つ前記対戦ゲームが終了した際に前記他のプレイヤに対して発生するゲーム効果に関する情報である、
請求項１〜７の何れか一項に記載の制御プログラム。
【請求項９】
前記他のプレイヤに対して発生するゲーム効果の内容は、前記他のプレイヤに関連付けられる特典に関する情報を変更するものである、請求項８に記載の制御プログラム。
【請求項１０】
前記プレイヤゲーム媒体に関する情報のそれぞれは前記対戦ゲームの進行に関するパラメータに関する情報と関連付けられ、
前記ゲーム効果の内容は、前記パラメータに関する情報を変更するものである、請求項８に記載の制御プログラム。
【請求項１１】
複数のプレイヤが参加する対戦ゲームを実行するゲーム装置であって、
前記対戦ゲームにおける対戦相手を示す表示情報と、複数のゲーム効果に関する情報と、を記憶する記憶部と、
プレイヤによる前記表示情報の表示指示を取得する取得部と、
前記表示指示を取得した取得時刻が所定期間に含まれるか否かを判定する判定部と、
前記判定部によって前記取得時刻が前記所定期間に含まれると判定された場合、前記複数のゲーム効果に関する情報のうちから選択された前記ゲーム効果に関する情報を前記表示情報に関連付けるゲーム効果付与部と、
前記表示情報を表示する表示部と、
前記プレイヤによる、表示された前記表示情報を選択する対戦開始指示に応じ、前記プレイヤが前記選択された表示情報によって示される前記対戦相手と対戦する対戦ゲームを新たに開始する対戦開始部と、
を備え、
前記選択された表示情報によって示される前記対戦相手と対戦する前記対戦ゲームにおいて、前記選択された表示情報に関連付けられた前記ゲーム効果が発生する
ことを特徴とするゲーム装置。
【請求項１２】
記憶部を備え、複数のプレイヤが参加する対戦ゲームを実行するゲーム装置の制御方法であって、
前記対戦ゲームにおける対戦相手を示す表示情報と、複数のゲーム効果に関する情報と、を前記記憶部に記憶し、
プレイヤによる前記表示情報の表示指示を取得し、
前記表示指示を取得した取得時刻が所定期間に含まれるか否かを判定し、
前記取得時刻が前記所定期間に含まれると判定された場合、前記複数のゲーム効果に関する情報のうちから選択された前記ゲーム効果に関する情報を前記表示情報に関連付け、
前記表示情報を表示し、
前記プレイヤによる、表示された前記表示情報を選択する対戦開始指示に応じ、前記プレイヤが前記選択された表示情報によって示される前記対戦相手と対戦する対戦ゲームを新たに開始する
ことを含み、
前記選択された表示情報によって示される前記対戦相手と対戦する前記対戦ゲームにおいて、前記選択された表示情報に関連付けられた前記ゲーム効果が発生する
ことを特徴とする制御方法。
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
ユーザーのポイントを消費してクエストを実行する実行手段と、
前記ポイントを第１最大値から第２最大値までの値に自動的に回復させる第１回復手段と、
前記ポイントを第１最大値まで時間経過により回復させる第２回復手段であって、前記第１回復手段によって自動的にポイントが回復した後には、前記実行手段によって当該ポイントを消費することなく第２最大値まで時間経過により回復させる第２回復手段と、
を備える情報処理装置。
【請求項２】
前記第２回復手段は、前記第１回復手段によって第１最大値よりも大きくて第２最大値よりも小さい或る値にポイントが自動的に回復した後には、前記実行手段によって当該ポイントを消費することなく前記或る値から第２最大値まで時間経過により回復させる、
請求項１に記載の情報処理装置。
【請求項３】
前記第２回復手段は、前記第１回復手段によって第１最大値にポイントが自動的に回復した後には、前記実行手段によって当該ポイントを消費することなく第１最大値から第２最大値まで時間経過により回復させる、
請求項１に記載の情報処理装置。
【請求項４】
前記第２回復手段は、前記第１回復手段によって第２最大値にポイントが自動的に回復した後には、当該ポイントを回復させない、
請求項１−３のいずれか１項に記載の情報処理装置。
【請求項５】
コンピュータを、
ユーザーのポイントを消費してクエストを実行する実行手段、
前記ポイントを第１最大値から第２最大値までの値に自動的に回復させる第１回復手段、
前記ポイントを第１最大値まで時間経過により回復させる第２回復手段であって、前記第１回復手段によって自動的にポイントが回復した後には、前記実行手段によって当該ポイントを消費することなく第２最大値まで時間経過により回復させる第２回復手段、
として機能させるプログラム。
【請求項６】
コンピュータが、
ユーザーのポイントを消費してクエストを実行することと、
前記ポイントを第１最大値から第２最大値までの値に自動的に回復させることと、
前記ポイントを第１最大値まで時間経過により回復させ、前記第１回復手段によって自動的にポイントが回復した後には、前記実行手段によって当該ポイントを消費することなく第２最大値まで時間経過により回復させること、
を有する情報処理方法。
【手続補正２】
【補正対象書類名】明細書
【補正対象項目名】発明の名称
【補正方法】変更
【補正の内容】
【発明の名称】情報処理装置、プログラム、及び情報処理方法